(57)【要約】【課題】移動レンズ群の移動範囲の片側に、固定レンズとシャッタユニットや絞りユニットが配置されている場合でも、移動レンズ群の可動範囲を広く確保することができ、固定レンズ群に何らかの不良が有った場合でも、シャッタユニットや絞りユニットは使用可能なレンズ鏡胴を得る。【解決手段】被写体光を導く複数のレンズ群と、被写体光の光量を規制する光量規制部材と、を有するレンズ鏡胴において、光量規制部材を保持する保持部材に少なくとも１枚のレンズが当接して配置され、該レンズは、保持部材とは異なる枠部材に接着固定されているレンズ鏡胴とする。【選択図】図５
2009053317.tif 000002
【特許請求の範囲】
【請求項１】
被写体光を導く複数のレンズ群と、該被写体光の光量を規制する光量規制部材と、を有するレンズ鏡胴において、
前記光量規制部材を保持する保持部材に少なくとも１枚のレンズが当接して配置され、該レンズは、前記保持部材とは異なる枠部材に接着固定されていることを特徴とするレンズ鏡胴。
【請求項２】
前記光量規制部材は、絞り部材とシャッタ部材のうちの少なくとも一方であることを特徴とする請求項１に記載のレンズ鏡胴。
【請求項３】
前記枠部材の内径をＤ１とし、前記枠部材に接着固定されるレンズの外径をＤ２としたとき、
０．０５≦Ｄ１−Ｄ２≦０．８      （ｍｍ）
であることを特徴とする請求項１又は２に記載のレンズ鏡胴。
【請求項４】
請求項１〜３のいずれか１項に記載のレンズ鏡胴を備えたことを特徴とする撮像装置。
【発明の詳細な説明】
【技術分野】
【０００１】
本発明は、特に変倍時に移動するレンズ群が、絞りやシャッタ近傍に配置された固定レンズ群に接近するよう構成されたレンズ鏡胴に関するものである。
【背景技術】
【０００２】
従来より、カメラ等の撮像装置には、複数のレンズ群で構成された撮像光学系及び被写体輝度に対応して撮像素子への光量を規制する絞りやシャッタを内包したレンズ鏡胴が備えられている。
【０００３】
このようなレンズ鏡胴として、例えば、後方のレンズ群に対し調芯されたレンズを枠部材に固定した後、該レンズの物体側にシャッタユニットを組み込むように構成されたズームレンズ鏡胴が知られている（例えば、特許文献１参照）。
【特許文献１】特開２００６−１３３３６６号公報
【発明の開示】
【発明が解決しようとする課題】
【０００４】
撮像装置に内蔵されるズームレンズは、より小型で高機能化されたものが求められる。このため、全長を同じとし、より高変倍比を達成しようとすると、光学系を構成するレンズ群のうち、移動するレンズ群の移動範囲を、より広く（長く）確保する必要がある。
【０００５】
ズームレンズにおいては、移動レンズ群の移動範囲の片側端部に、固定レンズ群及び絞りユニットやシャッタユニットが配置される場合がある。
【０００６】
図６は、シャッタユニットの一方の側に固定レンズ群及び移動レンズ群が配置された場合の従来例を示す断面図である。
【０００７】
同図において、１０７、１０８はシャッタ羽根であり、１０５、１０６は保持部材であり、シャッタ羽根１０７、１０８を保持している。１０１はシャッタユニットに近接して配置された固定レンズである。固定レンズ１０１は、枠部材１０２に形成された受け部１０２ｈ上で接着剤Ｂにより枠部材１０２に接着固定されている。１０４は光軸Ｏに沿って移動する移動レンズ群である。
【０００８】
即ち、移動レンズ群１０４の可動範囲の片側位置（破線で示す）は、光軸直交方向に動作するシャッタ羽根１０７、１０８を保持する保持部材１０５の厚みと、固定レンズ群１０１の厚みと、固定レンズ群を保持する枠部材の受け部１０２ｈの厚みと、クリアランスｔの和により決められる。
【０００９】
移動レンズ群１０４を、シャッタ羽根１０７、１０８の近くまで、より接近させようとする場合、保持部材１０５上に固定レンズ群１０１を載置し、保持部材１０５に接着固定することが考えられる。
【００１０】
しかしながら、固定レンズ群１０１を保持部材１０５に接着固定すると、固定レンズ群１０１に何らかの不良があった場合には、シャッタユニット自体も廃棄しなくてはならなくなる。シャッタユニットは高価なユニットであり、廃棄しては全体のコストを上昇させる問題となる。なお、この問題は絞りユニットの場合でも同様である。
【００１１】
上記特許文献１に記載のレンズ鏡胴の場合も、固定の第３レンズ群と移動する第４レンズ群の間で、同様に第４レンズ群の可動範囲が規制される問題を有している。
【００１２】
本発明は上記問題に鑑み、移動レンズ群の移動範囲の片側に、固定レンズとシャッタユニットや絞りユニットが配置されている場合でも、移動レンズ群の可動範囲を広く確保することができ、固定レンズ群に何らかの不良が有った場合でも、シャッタユニットや絞りユニットは使用可能なレンズ鏡胴を得ることを目的とするものである。
【課題を解決するための手段】
【００１３】
上記の目的は、下記に記載する発明により達成される。
【００１４】
１．被写体光を導く複数のレンズ群と、該被写体光の光量を規制する光量規制部材と、を有するレンズ鏡胴において、前記光量規制部材を保持する保持部材に少なくとも１枚のレンズが当接して配置され、該レンズは、前記保持部材とは異なる枠部材に接着固定されていることを特徴とするレンズ鏡胴。
【００１５】
２．前記光量規制部材は、絞り部材とシャッタ部材のうちの少なくとも一方であることを特徴とする１に記載のレンズ鏡胴。
【００１６】
３．前記枠部材の内径をＤ１とし、前記枠部材に接着固定されるレンズの外径をＤ２としたとき、
０．０５≦Ｄ１−Ｄ２≦０．８      （ｍｍ）
であることを特徴とする１又は２に記載のレンズ鏡胴。
【００１７】
４．１〜３のいずれかに記載のレンズ鏡胴を備えたことを特徴とする撮像装置。
【発明の効果】
【００１８】
本発明によれば、移動レンズ群の移動範囲の片側に、固定レンズとシャッタユニットや絞りユニットが配置されている場合でも、移動レンズ群の可動範囲を広く確保でき、固定レンズ群に何らかの不良が有る場合でも、シャッタユニットや絞りユニットは使用可能なレンズ鏡胴を得ることが可能となる。
【発明を実施するための最良の形態】
【００１９】
以下、実施の形態により本発明を詳しく説明するが、本発明はこれに限定されるものではない。
【００２０】
図１は、本実施の形態に係るレンズ鏡胴を備えた撮像装置の一例であるカメラ１００の、主要構成ユニットの内部配置の一例を示す図である。同図は、カメラ１００を被写体側から見た斜視図である。
【００２１】
同図に示すように、カメラ１００は、変倍可能な折り曲げ撮像光学系を内包したレンズ鏡胴５０が図示の如く前面に沿って配置され、開口部５１が被写体光束を取り込むよう配置されている。また図示していないが、開口部５１を開閉するレンズバリアが配置されている。
【００２２】
５２はフラッシュ発光窓であり、５３はフラッシュ発光窓の後方に配置された反射傘、キセノン管、その他メインコンデンサ、回路基板等で構成されるフラッシュユニットである。５４はカード型の画像記録用メモリである。５５は電池であり、カメラ１００の各部へ電源を供給する。画像記録用メモリ５４及び電池５５は、図示しない蓋部から挿脱が可能となっている。
【００２３】
カメラ１００の上面には、レリーズ釦５６が配置され、その１段の押し込みにより撮影準備動作、即ち焦点合わせ動作や測光動作が行われ、その２段の押し込みにより撮影露光動作が行われる。５７はメインスイッチであり、カメラ１００を動作状態と非動作状態に切り替えるスイッチである。メインスイッチ５７により動作状態に切り替えられると、レンズバリアを備えている場合には、これを開状態にすると共に、各部の動作が開始される。また、メインスイッチ５７により非動作状態に切り替えられると、レンズバリアを閉状態にすると共に、各部の動作を終了させる。
【００２４】
カメラ１００の背面には、ＬＣＤ或いは有機ＥＬ等の表示素子で構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。
【００２５】
また、図示しないが、これら主要構成ユニットの間には、各部を接続すると共に、各種電子部品が搭載された回路基板が配置され、各主要構成ユニットの駆動及び制御を行うようになっている。
【００２６】
更に、図示していないが、外部入出力端子、ストラップ取り付け部、三脚座等を備えているものである。
【００２７】
図２は、本実施の形態に係るレンズ鏡胴５０のユニット状態の概略の斜視図である。
【００２８】
同図に示すように、レンズ鏡胴５０は、第１の鏡胴である第１主胴１０Ａと第２の鏡胴である第２主胴１０Ｂの２つの鏡胴で構成されている。第１主胴１０Ａには、内部に配置されたレンズ群を移動させる第１モータ２０が組み付けられ、第２主胴１０Ｂには、内部に配置された他のレンズ群を移動させる第２モータ２１が組み付けられている。６は撮像素子であり、第２主胴１０Ｂに組み付けられている。１１は最も物体側に配置されたレンズであり光軸をＯＡを被写体に向けて配置されている。
【００２９】
第１モータ２０、第２モータ２１、撮像素子６は、図示しないプリント基板に接続され、個々に制御及び駆動されるようになっている。
【００３０】
図３は、本実施の形態に係るレンズ鏡胴５０に内包された変倍可能な折り曲げ撮像光学系を示す断面図である。同図は、ワイド時の状態を示しており、折り曲げ前及び折り曲げ後の２つの光軸を含む面で切断した図である。
【００３１】
同図に示すように、ＯＡは折り曲げ前の光軸であり、ＯＢは折り曲げ後の光軸である。レンズ鏡胴５０の外側は、第１の鏡胴部材である第１主胴１０Ａ及び第２の鏡胴部材である第２主胴１０Ｂで構成されている。
【００３２】
１は第１レンズ群であり、第１レンズ群１は、光軸をＯＡとし被写体に向けて配置されたレンズ１１と光軸ＯＡを略直角方向に折り曲げる反射部材であるプリズム１２と、プリズム１２により折り曲げられた光軸ＯＢを光軸として配置されたレンズ１３により構成されている。この第１レンズ群１は、第１主胴１０Ａに固定されたレンズ群である。
【００３３】
２は第２レンズ群であり、第２レンズ群鏡枠２ｋに組み込まれている。第２レンズ群は、変倍（以下、ズーミングとも言う）時に第２レンズ群鏡枠２ｋと共に、一体的に移動するレンズ群である。
【００３４】
３は第３レンズ群であり、シャッタユニット９のシャッタ羽根を保持する保持部材に当接して載置され、接着剤Ｂにより枠部材１７に接着固定されている。この第３レンズ群３は、移動しないレンズ群である。
【００３５】
４は第４レンズ群であり、第４レンズ群鏡枠４ｋに組み込まれている。第４レンズ群は、変倍時及び焦点調節（以下、フォーカシングとも言う）時に第４レンズ群鏡枠４ｋと共に、一体的に移動するレンズ群である。
【００３６】
５は赤外光カットフィルタ及びオプチカルローパスフィルタを積層した光学フィルタであり、第２主胴１０Ｂに組み付けられている。６は撮像素子であり、ＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。撮像素子６は取り付け部材８に組み付けられ、取り付け部材８は撮像素子６と共に第２主胴１０Ｂに組み付けられている。７はフレキシブルプリント基板であり、撮像素子６に接続され、カメラ内の他の回路へ接続されるようになっている。
【００３７】
図４は、本実施の形態に係るレンズ鏡胴の内部の概略構造を示す模式図である。同図は、第２レンズ群２及び第４レンズ群４がワイド位置にある状態を示している。以下の図においては、説明の重複を避けるため、同機能部材には同符号を付与して説明する。なお、説明をわかりやすくするため、モータ等の位置を鏡胴外に移動させて模式図面化したものである。
【００３８】
同図に示すように、第２レンズ群鏡枠２ｋに一体的に形成されたスリーブ２ｓ、第４レンズ群鏡枠４ｋに一体的に形成されたスリーブ４ｓを貫通して、ガイド軸１５が設けられている。更に、第２レンズ群鏡枠２ｋに一体的に形成された回転係止部２ｍ、第４レンズ群鏡枠４ｋに一体的に形成された回転係止部４ｍに、ガイド軸１６が係合して設けられている。これにより、第２レンズ群鏡枠２ｋ、第４レンズ群鏡枠４ｋは、ガイド軸１５、１６に沿って光軸ＯＢ方向に摺動可能とされている。
【００３９】
第２レンズ群鏡枠２ｋはスリーブ２ｓに形成された二股の突起部２ｔを有しており、この突起部２ｔは、ステッピングモータである第１モータ２０の回転軸に形成されたリードスクリュー２０ｒの回転により移動する駆動部材２０ｋと係合している。これにより、第１モータ２０の回転で、駆動部材２０ｋと係合している第２レンズ群鏡枠２ｋが、ガイド軸１５及び１６に沿って摺動し光軸ＯＢ方向に移動するようになっている。なお、２０ｇは駆動部材２０ｋの摺動ガイド軸である。
【００４０】
同様に、第４レンズ群鏡枠４ｋはスリーブ４ｓに形成された二股の突起部４ｔを有しており、この突起部４ｔはステッピングモータである第２モータ２１の回転軸に形成されたリードスクリュー２１ｒの回転により移動する駆動部材２１ｋと係合している。これにより、第２モータ２１の回転で、駆動部材２１ｋと係合している第４レンズ群鏡枠４ｋが、ガイド軸１５及び１６に沿って摺動し、光軸ＯＢ方向に移動するようになっている。なお、２１ｇは駆動部材２１ｋの摺動ガイド軸である。
【００４１】
これにより、第２レンズ群２及び第４レンズ群４は、図示のワイド状態の位置から、第３レンズ群３に近接する方向へ、各々設定された量だけ移動しズーミングが行われる。更に、第４レンズ群４は、ズーミングにより移動した位置から更に移動することによりフォーカシングが行われるようになっている。
【００４２】
また、第２レンズ群２及び第４レンズ群４の間に配置された固定の第３レンズ群３は、シャッタユニット９のシャッタ羽根を保持する保持部材に当接して載置され、主胴１０Ｂに固定された枠部材１７に接着剤Ｂで接着固定されている。
【００４３】
なお、図示していないが、第２レンズ群２の存在を検出する位置センサ、第４レンズ群４の存在を検出する位置センサが配置されている。位置センサとしては、例えばフォトインタラプタが用いられる。
【００４４】
図５は、図３及び図４に示す第３レンズ群３、シャッタユニット９、枠部材１７の詳細を示す拡大断面図である。
【００４５】
同図に示す、３３、３４はシャッタ羽根である。３１、３２は保持部材であり、シャッタ羽根３３、３４を保持している。３は第３レンズ群であり、シャッタユニットに近接して配置されているレンズである。
【００４６】
同図の如く、第３レンズ群３は、保持部材３１上に直接的に当接して載置され、不図示の主胴１０Ｂに固定された枠部材１７に接着剤Ｂにより接着固定されている。接着剤Ｂは、第３レンズ群３と枠部材１７だけに塗布される。
【００４７】
即ち、第３レンズ群３の光軸方向の位置決めは、保持部材３１の外面で受けて位置決めするよう構成し、第３レンズ群３の固定は、主胴１０Ｂに固定された枠部材１７に固定するよう構成している。なお、本例では枠部材１７が主胴１０Ｂに固定されているもので説明したが、これに限るものでなく、枠部材１７は保持部材３１にネジ等で固定されてもよい。
【００４８】
このように構成することで、図６に示す従来の構成の受け部１０２ｈの光軸ＯＢ方向の厚みに相当する分、第３レンズ群３をシャッタユニット９側に近づけて配置することができる。これにより、移動レンズ群である第２レンズ群２の移動可能範囲を、より広くすることができ、変倍比をより大きくすることができる。更に、固定レンズ群である第３レンズ群３に何らかの不良が有った場合でも、第３レンズ群３及び枠部材１７を交換するだけで良く、シャッタユニット９は使用でき、高価なユニットを廃棄する必要が無く、コストの上昇を抑えることができる。
【００４９】
また、図示の如く、枠部材１７の内径をＤ１とし、固定される第３レンズ群３の外径をＤ２としたとき、
０．０５≦Ｄ１−Ｄ２≦０．８      （ｍｍ）
を満足するよう形成することが好ましい。また、より好ましくは、
０．１≦Ｄ１−Ｄ２≦０．８        （ｍｍ）
を満足するように形成することで、第３レンズ群３を保持部材３１上で第４レンズ群４に対し調芯した後、枠部材１７に接着固定することもでき、より良好な画像の得られるレンズ鏡胴とすることができる。
【００５０】
更に、
０．１≦Ｄ１−Ｄ２≦０．４        （ｍｍ）
を満足するように形成することで、調芯後の接着において、保持部材３１の外面に達しないようにするための接着剤の粘度、塗布量等の自由度を広げることができる。
【００５１】
なお、上記の実施の形態では、折り曲げ撮像光学系を内包するレンズ鏡胴を例に取って説明したが、これに限るものでなく、沈胴が可能な鏡胴であってもよく、この場合には、変倍比を大きくできるだけでなく、沈胴時のレンズ鏡胴の厚みもより薄くすることができる。
【００５２】
また、光量規制部材の例として、シャッタユニットを用いて説明したが、これに限るものでなく、絞りユニットであってもよいのは勿論である。
【００５３】
加えて、４群ズームを例に取り説明したが、これに限るものでなく、移動レンズ群の移動範囲の一方の端部に固定レンズ群及びシャッタもしくは絞り等のユニットが配置されている場合に適用可能であるのは言うまでもない。
【図面の簡単な説明】
【００５４】
【図１】本実施の形態に係るレンズ鏡胴を備えた撮像装置の一例であるカメラの、主要構成ユニットの内部配置の一例を示す図である。
【図２】本実施の形態に係るレンズ鏡胴のユニット状態の概略の斜視図である。
【図３】本実施の形態に係るレンズ鏡胴に内包された変倍可能な折り曲げ撮像光学系を示す断面図である。
【図４】本実施の形態に係るレンズ鏡胴の内部の概略構造を示す模式図である。
【図５】図３及び図４に示す第３レンズ群、シャッタユニット、枠部材の詳細を示す拡大断面図である。
【図６】シャッタユニットの一方の側に固定レンズ群及び移動レンズ群が配置された場合の従来例を示す断面図である。
【符号の説明】
【００５５】
１  第１レンズ群
２  第２レンズ群
２ｋ  第２レンズ群鏡枠
３  第３レンズ群
４  第４レンズ群
４ｋ  第４レンズ群鏡枠
５  光学フィルタ
６  撮像素子
９  シャッタユニット
１０Ａ、１０Ｂ  主胴
１７  枠部材
５０  レンズ鏡胴
１００  カメラ
Ｂ  接着剤
【図１】
2009053317.tif 000003
【図２】
2009053317.tif 000004
【図３】
2009053317.tif 000005
【図４】
2009053317.tif 000006
【図５】
2009053317.tif 000007
【図６】
2009053317.tif 000008